(57)【要約】【課題】  振動及び騒音の低減化を図る。【解決手段】  ポンプ室６の内底面に、吸入口７と吐出口８との間に位置させて第１の圧力発生用凸部９を設ける。第１の圧力発生用凸部９は、インペラ２１の回転時に圧力を発生させるためのもので、その両側部をなめらかな斜面１１，１２とする。これにより、流体が圧力発生用凸部９に衝突する際の流れがスムーズになり、衝撃が和らげられる。このため、流体の圧力発生用凸部９に対する衝突に伴う振動を低減でき、ひいてはその振動に伴う騒音を低減することができる。【選択図】  図１
2005282500.tif 000002
【特許請求の範囲】
【請求項１】
ポンプ室を有するケースと、
このケースにそれぞれ前記ポンプ室と連通するように設けられた吸入口及び吐出口と、
ポンプ羽根を有して前記ポンプ室内に回転可能に配設されたインペラと、
前記ポンプ室内にあって前記吸入口と吐出口との間で、かつ前記ポンプ羽根と対向する部位に設けられた圧力発生用凸部と、
前記ケースに設けられ、ステータ部を有すると共に、前記インペラと一体に回転するように設けられたロータ部を有するインペラ駆動用のモータとを備え、
前記モータにより前記インペラを回転させることに基づき、流体を前記吸入口から前記ポンプ室内に吸入すると共に、ポンプ室内の流体を前記吐出口から吐出させる構成とした流体ポンプにおいて、
前記圧力発生用凸部の少なくとも前記吐出口側の側部をなめらかな斜面または曲面としたことを特徴とする流体ポンプ。
【請求項２】
ポンプ室を有するケースと、
このケースにそれぞれ前記ポンプ室と連通するように設けられた吸入口及び吐出口と、
ポンプ羽根を有して前記ポンプ室内に回転可能に配設されたインペラと、
前記ポンプ室内にあって前記吸入口と吐出口との間で、かつ前記ポンプ羽根と対向する部位に設けられた圧力発生用凸部と、
前記ケースに設けられ、ステータ部を有すると共に、前記インペラと一体に回転するように設けられたロータ部を有するインペラ駆動用のモータとを備え、
前記モータにより前記インペラを回転させることに基づき、流体を前記吸入口から前記ポンプ室内に吸入すると共に、ポンプ室内の流体を前記吐出口から吐出させる構成とした流体ポンプにおいて、
前記インペラの回転に基づく圧力発生タイミングと前記モータのコギングトルクの発生タイミングとを異ならせたことを特徴とする流体ポンプ。
【請求項３】
ポンプ室を有するケースと、
このケースにそれぞれ前記ポンプ室と連通するように設けられた吸入口及び吐出口と、
ポンプ羽根を有して前記ポンプ室内に回転可能に配設されたインペラと、
前記ポンプ室内にあって前記吸入口と吐出口との間で、かつ前記ポンプ羽根と対向する部位に設けられた圧力発生用凸部と、
前記ケースに設けられ、ステータ部を有すると共に、前記インペラと一体に回転するように設けられたロータ部を有するインペラ駆動用のモータとを備え、
前記モータにより前記インペラを回転させることに基づき、流体を前記吸入口から前記ポンプ室内に吸入すると共に、ポンプ室内の流体を前記吐出口から吐出させる構成とした流体ポンプにおいて、
前記インペラの回転に基づく圧力発生の周波数と前記モータのコギングトルクの周波数とを異ならせたことを特徴とする流体ポンプ。
【請求項４】
ポンプ室を有するケースと、
このケースにそれぞれ前記ポンプ室と連通するように設けられた吸入口及び吐出口と、
ポンプ羽根を有して前記ポンプ室内に回転可能に配設されたインペラと、
前記ポンプ室内にあって前記吸入口と吐出口との間で、かつ前記ポンプ羽根と対向する部位に設けられた圧力発生用凸部と、
前記ケースに設けられ、ステータ部を有すると共に、前記インペラと一体に回転するように設けられたロータ部を有するインペラ駆動用のモータとを備え、
前記モータにより前記インペラを回転させることに基づき、流体を前記吸入口から前記ポンプ室内に吸入すると共に、ポンプ室内の流体を前記吐出口から吐出させる構成とした流体ポンプにおいて、
前記インペラにおける前記ポンプ羽根の一部または全部を不等ピッチとしたことを特徴とする流体ポンプ。
【請求項５】
ポンプ室を有するケースと、
このケースにそれぞれ前記ポンプ室と連通するように設けられた吸入口及び吐出口と、
ポンプ羽根を有して前記ポンプ室内に回転可能に配設されたインペラと、
前記ポンプ室内にあって前記吸入口と吐出口との間で、かつ前記ポンプ羽根と対向する部位に設けられた圧力発生用凸部と、
前記ケースに設けられ、ステータ部を有すると共に、前記インペラと一体に回転するように設けられたロータ部を有するインペラ駆動用のモータとを備え、
前記モータにより前記インペラを回転させることに基づき、流体を前記吸入口から前記ポンプ室内に吸入すると共に、ポンプ室内の流体を前記吐出口から吐出させる構成とした流体ポンプにおいて、
前記圧力発生用凸部の少なくとも前記吐出口側の側部をなめらかな斜面または曲面とすると共に、前記インペラにおける前記ポンプ羽根の一部または全部を不等ピッチとしたことを特徴とする流体ポンプ。
【請求項６】
前記インペラにおける前記ポンプ羽根の数を奇数としたことを特徴とする請求項１ないし５のいずれかに記載の流体ポンプ。
【請求項７】
請求項１ないし６のいずれかに記載の流体ポンプを用いた冷却装置。
【請求項８】
請求項７記載の冷却装置を備えた電気機器。
【発明の詳細な説明】
【技術分野】
【０００１】
本発明は、インペラを回転駆動するモータを備えた流体ポンプ、この流体ポンプを備えた冷却装置、及びこの冷却装置を備えた電気機器に関する。
【背景技術】
【０００２】
従来より、流体ポンプにおいては、インペラを回転駆動するモータのロータを、インペラと一体に回転するように設け、そのロータによりインペラを回転駆動させることに基づき、インペラが有するポンプ羽根の作用により、流体を吸入口からポンプ室内に吸入すると共に、ポンプ室内の流体を吐出口から吐出する構成のものがある（例えば、特許文献１、特許文献２参照）。
【特許文献１】特開２００１−１２３９７８
【特許文献２】特開２００１−１３２６７７
【発明の開示】
【発明が解決しようとする課題】
【０００３】
この種の流体ポンプを、電気機器例えばパーソナルコンピュータにおいて、発熱部品であるＣＰＵの冷却用に用いることが考えられている。この場合、例えば次のような構成が考えられる。すなわち、ポンプのケースの一面を発熱部品であるＣＰＵに接触させた状態で、ポンプにおけるインペラを回転させてポンプに冷却用の流体（液体）を流すことで、ＣＰＵが発生する熱を、ケースを介して、ポンプを流れる流体にて奪うようにする。このようにすることで、ＣＰＵを冷却することが可能となる。
【０００４】
しかしながら、従来の流体ポンプにおいては、ポンプの運転時（モータの運転時）に比較的大きな振動が発生すると共に、その振動に伴い比較的大きな騒音が発生するという問題がある。その要因としては、例えば次のようなことが考えられる。
流体ポンプのケースには、ポンプ室内にあって吸入口と吐出口との間で、かつインペラのポンプ羽根と対向する部位に、圧力発生用凸部が設けられている。モータによりインペラを回転させてポンプを運転すると、インペラのポンプ羽根により押された流体が、上記圧力発生用凸部に衝突し、その衝突に伴い比較的大きな振動が発生する。また、流体が圧力発生用凸部に衝突することに伴って発生する振動（圧力発生時の振動）と、インペラを回転駆動するモータのコギングトルクの振動が同じタイミングで発生することで、振動が一層大きくなることがある。
【０００５】
特に、そのような流体ポンプを、電気機器である上記パーソナルコンピュータにおいてＣＰＵの冷却に用いる場合には、その振動や騒音が問題となる。
本発明は、上記問題点を解決するためになされたもので、その第１の目的は、振動及び騒音の低減化を図ることができる流体ポンプを提供することを目的とする。また、第２の目的は、振動及び騒音の低減化を図ることができる冷却装置を提供することを目的とし、さらに第３の目的は、振動及び騒音の低減化を図ることができる電気機器を提供することを目的とする。
【課題を解決するための手段】
【０００６】
上記の第１の目的を達成するために、本発明の流体ポンプは、ポンプ室を有するケースと、このケースにそれぞれ前記ポンプ室と連通するように設けられた吸入口及び吐出口と、ポンプ羽根を有して前記ポンプ室内に回転可能に配設されたインペラと、前記ポンプ室内にあって前記吸入口と吐出口との間で、かつ前記ポンプ羽根と対向する部位に設けられた圧力発生用凸部と、前記ケースに設けられ、ステータ部を有すると共に、前記インペラと一体に回転するように設けられたロータ部を有するインペラ駆動用のモータとを備え、前記モータにより前記インペラを回転させることに基づき、流体を前記吸入口から前記ポンプ室内に吸入すると共に、ポンプ室内の流体を前記吐出口から吐出させる構成としたものにおいて、前記圧力発生用凸部の少なくとも前記吐出口側の側部をなめらかな斜面または曲面としたことを特徴とする（請求項１の発明）。
【０００７】
モータによりインペラを回転させてポンプを運転すると、インペラのポンプ羽根により押された流体が圧力発生用凸部に衝突し、これに伴いポンプ室内の流体の一部が吐出口から吐出される。このとき、圧力発生用凸部において、吐出口側の側部はなめらかな斜面または曲面とすることで、流体が圧力発生用凸部に衝突する際の衝撃が和らげられる。これにより、流体の圧力発生用凸部に対する衝突に伴う振動を低減でき、ひいてはその振動に伴う騒音を低減することができる。
【０００８】
ちなみに、圧力発生用凸部の吐出口側の側部が、ほぼ９０度になっている角部の場合には、流体が圧力発生用凸部の角部に衝突する際の衝撃が大きいため、それに伴って発生する振動が大きく、騒音も大きくなっていた。
同様な目的を達成するために、上記したような流体ポンプにおいて、前記インペラの回転に基づく圧力発生タイミングと前記モータのコギングトルクの発生タイミングとを異ならせるようにしても良い（請求項２の発明）。
【０００９】
上記した手段によれば、インペラの回転時に圧力発生に伴って発生する振動と、モータのコギングトルクに伴って発生する振動とが同じタイミングで発生することを防止できるため、それらの振動が共振することを防止でき、また、互いに振動を打ち消すことも可能になり、これにより振動を低減できると共に、騒音を低減することができる。
同様な目的を達成するために、上記したような流体ポンプにおいて、前記インペラの回転に基づく圧力発生の周波数と前記モータのコギングトルクの周波数とを異ならせるようにしても良い（請求項３の発明）。
【００１０】
上記した手段によれば、請求項２の発明の場合と同様に、インペラの回転時に圧力発生に伴って発生する振動と、モータのコギングトルクに伴って発生する振動とが共振することを防止でき、また、互いに振動を打ち消すことも可能になり、これにより振動を低減できると共に、騒音を低減することができる。
同様な目的を達成するために、上記したような流体ポンプにおいて、前記インペラにおける前記ポンプ羽根の一部または全部を不等ピッチとすることもできる（請求項４の発明）。
【００１１】
上記した手段によれば、インペラの回転時に圧力発生のタイミングが均一ではなくなるため、請求項２の発明と同様に、インペラの回転時に圧力発生に伴って発生する振動と、モータのコギングトルクに伴って発生する振動とが共振することを防止でき、また、互いに振動を打ち消すことも可能になり、これにより振動を低減できると共に、騒音を低減することができる。さらに、圧力発生時の振動周波数が低くなり、不快な高周波成分を低減することができる。
【００１２】
同様な目的を達成するために、上記したような流体ポンプにおいて、前記圧力発生用凸部の少なくとも前記吐出口側の側部をなめらかな斜面または曲面とすると共に、前記インペラにおける前記ポンプ羽根の一部または全部を不等ピッチとすることも良い（請求項５の発明）。
上記した手段によれば、請求項１の発明と請求項４の発明の両方の作用効果を得ることができ、振動及び騒音を一層低減できるようになる。
【００１３】
上記した請求項１ないし５の発明において、前記インペラにおける前記ポンプ羽根の数を奇数とすることが好ましい（請求項６の発明）。
上記した手段によれば、インペラの１回転における圧力発生の回数は奇数回であり、これに対してモータのロータ部の１回転におけるコギングトルクの発生回数は必ず偶数回であるので、圧力発生タイミングとコギングトルクの発生タイミングがずれると共に、圧力発生の周波数とコギングトルクの周波数とがずれるようになる。これによっても、振動及び騒音を一層低減できるようになる。
【００１４】
上記した第２の目的を達成するために、請求項７の冷却装置は、請求項１ないし６のいずれかに記載の流体ポンプを備えたことを特徴とする。
上記した第３の目的を達成するために、請求項８の電気機器は、請求項７の冷却装置を備えたことを特徴とする。
【発明の効果】
【００１５】
請求項１ないし５の各流体ポンプによれば、振動及び騒音の低減化を図ることができる。
請求項７の冷却装置によれば、振動及び騒音の低減化を図った流体ポンプを用いることで、振動及び騒音の低減化を図った冷却装置を提供できる。
請求項８の電気機器によれば、振動及び騒音の低減化を図った冷却装置を用いることで、振動及び騒音の低減化を図った電気機器を提供できる。
【発明を実施するための最良の形態】
【００１６】
以下、本発明の第１の実施形態について図１ないし図８を参照して説明する。まず、図３は本発明の流体ポンプ１の正面図、図４は同流体ポンプ１の断面図である。また、図１は流体ポンプ１の分解斜視図、図２は、図１とは反対側から見た流体ポンプ１の分解斜視図である。これら図１ないし図４において、流体ポンプ１のケース２は、矩形状をなしていて、第１のケース３と第２のケース４とを複数本のねじ５により連結することによって構成されている。これら第１のケース３と第２のケース４との間に、円形状をなすポンプ室６が形成されている。
【００１７】
第１のケース３の一側面には、それぞれ円筒状をなす吸入口７と吐出口８とが設けられている。これら吸入口７と吐出口８は、ほぼ平行状態で側方へ突出していると共に、それぞれの流通路の一端部が上記ポンプ室６に連通している。また、第１のケース３には、ポンプ室６の内底面にあって吸入口７と吐出口８との間に位置させて径方向に延びる第１の圧力発生用凸部９が設けられていると共に、ポンプ室６の周壁部の内周面にあって吸入口７と吐出口８との間に位置させて第２の圧力発生用凸部１０が設けられている。第１の圧力発生用凸部９は、図５にも示すようにポンプ室６の中心部から吸入口７及び吐出口８側に向けて広がっていて、その両側部は、図６に示すように平面状をなすなめらかな斜面１１，１２となるように形成されている。従って本実施形態においては、第１の圧力発生用凸部９において、吸入口７側（図５において右側）の側部と吐出口８側（図５において左側）の側部の両方に、それぞれなめらかな斜面１１，１２が形成されている。
【００１８】
上記第２のケース４の中央部には、ポンプ室６側へ突出し、かつ当該ポンプ室６とは反対側（外側）が開口した円形凹状のステータ収容部１３が形成されている。ステータ収容部１３の中央部には突状のステータ取付部１４が設けられていて、モータ１５のステータ部１６が、ステータ収容部１３に収容された状態でそのステータ取付部１４に固定状態に取り付けられている。ステータ部１６は、図７にも示すように、複数、この場合１２個のティース１７を有する固定子鉄心１８と、各ティース１７に巻装されたコイル１９とから構成されている。固定子鉄心１８の各ティース１７は等間隔で配置されているとともに、各ティース１７の先端部間には、スロット開口部２０が形成されている。このステータ部１６のスロット数は１２となっている。
【００１９】
ここで、図７に示すように、ステータ部１６は、一つのスロット開口部２０の中心が、上記第１の圧力発生用凸部９の中心に対応するように配置されていて、当該第１の圧力発生用凸部９の圧力発生部となる側部である斜面１１，１２からずれている。
上記ポンプ室６内には、円盤状をなすインペラ２１が回転可能に配設されている。このインペラ２１の中心に設けられた軸２２が、上記ステータ収容部１３の中心部に設けられた軸受部２３に回転自在に支持されている。インペラ２１において、第１のケース３側の面には、ポンプ羽根２３が放射状に多数本、この場合２６本が等間隔で設けられている。これら各ポンプ羽根２３は、インペラ２１の回転に伴い、上記第１の圧力発生用凸部９に対向するようになると共に、各ポンプ羽根２３の外周部側の端面が、上記第２の圧力発生用凸部１０に対向するようになる。
【００２０】
インペラ２１の第２のケース４側の面には短円筒状の筒部２５が設けられていて、この筒部２５の内周面に、モータ１５のロータ部２６が設けられている。このロータ部２６は、短円筒状をなすロータヨーク２７と、このロータヨーク２７の内周面に設けられた短円筒状をなすロータマグネット２８とから構成されていて、このロータマグネット２８の内周面が、上記ステータ収容部１３の周壁部１３ａを介して上記ステータ部１６における各ティース１７の外周面と対向している。ロータマグネット２８は、例えば８極に着磁されている。ここで、ロータ部２６と上記ステータ部１６とにより、インペラ２１を回転駆動するアウターロータ形のモータ１５を構成していて、そのロータ部２６が回転することに基づきインペラ２１も当該ロータ部２６と一体に回転する構成となっている。なお、ステータ収容部１３の開口部は、図示しないカバーにより閉鎖される。流体ポンプ１は、上記のように構成されている。
【００２１】
一方、図８には、上記流体ポンプ１を使用した冷却装置３０の例が示されている。この図８において、放熱部３１のユニットケース３２は、ファンケース３３とカバー３４とを組み合わせて構成されている。ファンケース３３内には、図示しないファンモータを内蔵したファン３５が設けられていると共に、このファン３５の上方に位置させて多数枚の放熱フィン３６が設けられている。また、ファンケース３３内には、各放熱フィン３６を貫通するように、Ｕ字状をなす流通管３７が設けられている。この流通管３７は、一端部が流体ポンプ１の吸入口７に接続されていると共に、他端部が吐出口８に接続されている。この流通管３７内及び流体ポンプ１のポンプ室６内には、冷却用の液体（流体）が封入されている。
【００２２】
ファンケース３３及びカバー３４には、ファン３５に対応する部位に円形の吸気口３８が形成されている。放熱フィン３６の上部は開放されていて、そこを排気口３９としている。そして、流体ポンプ１の第１のケース３の外面３ａに、冷却対象となる発熱部品４０を接触させた状態に取り付ける。第１のケース３は、発熱部品４０の熱を受ける受熱部を兼ねている。
【００２３】
次に上記構成の作用を説明する。
流体ポンプ１におけるモータ１５のコイル１９への通電を制御することにより、ロータ部２６と一体にインペラ２１が、図１中矢印Ａ方向へ回転する。すると、インペラ２１の各ポンプ羽根２３に押された液体が、第１及び第２の圧力発生用凸部９，１０に順次衝突し、これに伴い吐出口８から流通管３７側へ吐出される。また、第１及び第２の圧力発生用凸部９，１０の吸入口７側（図５の右側）では、各ポンプ羽根２３の通過に伴い負圧となり、流通管３７側の液体が吸入口７からポンプ室６内に吸入される。このようにして、ポンプ室６内の冷却用の液体が流通管３７を通して循環する。このとき、発熱部品４０から発生する熱は、流体ポンプ１のケース２を介してポンプ室６内を通る液体により奪われる。
【００２４】
一方、放熱部３１においては、ファンモータによりファン３５が回転駆動され、そのファン３５の送風作用により、ユニットケース３２の周囲の空気が、図８の矢印Ｂで示すように、吸気口３８からユニットケース３２内に吸入されると共に、ユニットケース３２内の空気が、各放熱フィン３６間を通って排気口３９から外部へ排出される。このとき、吐出口８から吐出された液体は、流通管３７を通る過程で放熱フィン３６を通して放熱し、放熱して冷却された液体は、吸入口７から再び流体ポンプ１側に戻される。このようにして、発熱部品３８が、流体ポンプ１を用いた冷却装置３０により冷却される。
【００２５】
上記した実施形態においては、次のような作用効果を得ることができる。
まず、流体ポンプ１において、第１及び第２の圧力発生用凸部９，１０のうち、径方向に延びる第１の圧力発生用凸部９の少なくとも吐出口８側の側部を、なめらかな斜面１２として形成しているので、インペラ２１の回転時において、ポンプ羽根２３により押された液体がその第１の圧力発生用凸部９に衝突する際の流れが比較的スムーズになり、衝撃が和らげられる。これにより、液体の第１の圧力発生用凸部９に対する衝突に伴う振動を低減でき、ひいてはその振動に伴う騒音を低減することができる。この場合、第１の圧力発生用凸部９の吸入口７側の側部もなめらかな斜面１１として形成しているので、ここでの液体の流れもスムーズになり、やはり振動を低減でき、その振動に伴う騒音も低減できるようになる。
【００２６】
なお、本実施形態において、第１の圧力発生用凸部９の両側部をなめらかな斜面１１，１２とすることで、圧力の低下が懸念されるが、インペラ２１の回転数（ロータ部２６の回転数）が上がることで、液体の流量は確保することが可能になる。
また、上記した第１の実施形態においては、第２の圧力発生用凸部１０における吸入口７側及び吐出口８側の両側部１０ａ，１０ｂ（図５参照）は、角部状に形成しているが、ここもなめらかな斜面とすることもできる。
【００２７】
ステータ部１６は、一つのスロット開口部２０の中心が、上記第１の圧力発生用凸部９の中心に対応するように配置されていて、当該第１の圧力発生用凸部９の圧力発生部となる側部である斜面１１，１２からずれているので、インペラ２１の回転時において、第１の圧力発生用凸部９で発生する圧力発生タイミングと、モータ１５のコギングトルクの発生タイミングとが異なるようになる。これにより、それらの振動が共振することを防止でき、また、互いに振動を打ち消すことも可能になり、これにより振動及び騒音を一層低減することが可能になる。
【００２８】
さらに、インペラ２１のポンプ羽根２３の数は２６、モータ１５におけるロータマグネット２８の磁極数は８、ステータ部１６のスロット数は１２となっている。ここで、インペラ２１の１回転における圧力発生数は２６、ロータ部２６の１回転におけるコギングトルクの発生数は、磁極数８とスロット数１２の最小公倍数の２４となる。従って、インペラ２１の１回転における圧力発生数（２６）と、モータ１５のコギングトルクの発生数（２４）とが異なると共に、それらの周波数が異なる。これによっても、振動及び騒音を一層低減することが可能になる。
【００２９】
そして、このように振動及び騒音を抑えた流体ポンプ１を、図８に示すような冷却装置３０に用いることで、振動及び騒音を抑えた冷却装置３０を提供することができる。
図９は本発明の第２の実施形態を示したものであり、この第２の実施形態は上記した第１の実施形態とは次の点が異なっている。
すなわち、流体ポンプ１を使用した冷却装置４５を、電気機器としてパーソナルコンピュータ４６に適用した例が概略的に示されている。パーソナルコンピュータ４６は、本体ケース４７と、この本体ケース４７に対して開閉回動可能に設けられた蓋ケース４８とを備えていて、本体ケース４７の上面部に、図示はしないがキーボードが設けられ、蓋ケース４８の内面部に、これも図示はしないが液晶表示部が設けられている。
【００３０】
上記本体ケース４７の内部には発熱部品としてＣＰＵ４９が配設されていて、このＣＰＵ４９に、流体ポンプ１の第１のケース３を接触させている。蓋ケース４８の内部には放熱部５０が設けられていて、この放熱部５０に、冷却用の液体が通る流通路（図示せず）が設けられていると共に、その流通路に連通する入口５１と出口５２が設けられている。そして、流体ポンプ１の吸入口７は、接続チューブ５３を介して出口５２と接続し、流体ポンプ１の吐出口８は、接続チューブ５４を介して入口５１と接続する。この場合も、流体ポンプ１のポンプ室６内および放熱部５０の流通路内には、冷却用の液体（流体）を封入している。
【００３１】
上記構成において、流体ポンプ１が運転されると、放熱部５０側の液体が吸入口７からポンプ室６内に吸入されると共に、ポンプ室６内の液体は吐出口８から接続チューブ５４側へ吐出される。接続チューブ５４側へ吐出された液体は、放熱部５０の流通路側へ送られる。
このとき、流体ポンプ１のポンプ室６内を通る液体は、ＣＰＵ４９から発生する熱を奪うことにより、当該ＣＰＵ４９を冷却する。ＣＰＵ４９の熱を奪った液体は、放熱部５０において放熱し、冷やされる。冷やされた液体は、再び流体ポンプ１のポンプ室６内に吸入され、ＣＰＵ４９から発生する熱を奪うようになる。このようにして、冷却ポンプ１を流れる液体により、ＣＰＵ４９が高温になることが抑えられる。
【００３２】
上記した第２の実施形態においては、振動及び騒音を抑えた流体ポンプ１を、パーソナルコンピュータ４６の冷却装置４５に用いることで、振動及び騒音を抑えたパーソナルコンピュータ４６を提供することができる。
図１０及び図１１は本発明の第３の実施形態を示したものであり、この第３の実施形態は上記した第１の実施形態とは次の点が異なっている。
【００３３】
すなわち、図１０において、インペラ２１におけるポンプ羽根としては、インペラ２１の中心から放射状に延びる第１のポンプ羽根６１と、途中から放射状に延びた第２のポンプ羽根６２とがあり、それら第１及び第２のポンプ羽根６１，６２の合計本数が２１本で、奇数となっている。
この場合、第１のポンプ羽根６１が７箇所に配置されていると共に、各第１のポンプ羽根６１間に第２のポンプ羽根６２が２本ずつ配置されている。そして、隣り合った第１のポンプ羽根６１と第２のポンプ羽根６２との間の角度θ１と、隣り合った第２のポンプ羽根６２，６２間の角度θ２とを異ならせている（θ１＞θ２）。従って、インペラ２１におけるポンプ羽根６１，６２は不等ピッチで配置されている。
【００３４】
また、図１１において、インペラ２１に設けられたモータ１５のロータマグネット２８の磁極数は８極で、ロータマグネット２８は、磁極境界部２８ａが、上記第１及び第２のポンプ羽根６１，６２の位置に対して極力ずれるように配置している。
上記した実施形態によれば、特に次のような作用効果を得ることができる。まず、インペラ２１における第１及び第２のポンプ羽根６１，６２の合計数を２１としているので、インペラ２１の１回転における圧力発生の回数は２１回である。これに対して、モータ１５において、ロータマグネット２８の磁極数が８極で、ステータ部１６のスロット数が１２スロットであるので、ロータ部２６の１回転におけるコギングトルクの発生回数は、それらの最小公倍数となる２４となる。従って、インペラ２１の回転に基づく圧力発生の周波数と、モータ１５のコギングトルクの周波数とが異なるようになり、これによっても振動及び騒音を低減することができる。
【００３５】
また、インペラ２１における第１及び第２のポンプ羽根６１，６２の合計数を２１と奇数としている。これに対して、モータ１５のロータ部２６の１回転におけるコギングトルクの発生回数は必ず偶数回、本実施形態の場合、２４回となっていて、それらが異なっている。従って、圧力発生タイミングとコギングトルクの発生タイミングがずれると共に、圧力発生の周波数とコギングトルクの周波数とがずれるようになる。これによっても、振動及び騒音を一層低減できるようになる。
【００３６】
さらに、インペラ２１における第１及び第２のポンプ羽根６１，６２の配置を不等ピッチとしているので、インペラ２１の回転時の圧力発生のタイミングが均一ではなくなる。このため、圧力発生タイミングとコギングトルクの発生タイミングがずれるようになる。これによっても、振動及び騒音を低減できるようになる。また、インペラ２１における第１及び第２のポンプ羽根６１，６２の配置を不等ピッチとした場合、インペラ２１の回転時における圧力発生時の振動周波数が低くなり、不快な高周波成分を低減することができる。
【００３７】
図１２は本発明の第４の実施形態を示したものであり、この第４の実施形態は上記した第１の実施形態とは次の点が異なっている。
すなわち、第１の圧力発生用凸部９における両側部を、平面状をなすなめらかな斜面１１，１２とすることに代えて、なめらかな曲面６５，６６としている。
この場合、曲面６５，６６は、外側へ凸となる曲面状（Ｒ形状）に形成しているが、それとは反対に凹状の曲面状に形成することもできる。
【００３８】
本発明は、上記した各実施形態にのみ限定されるものではなく、次のように変形または拡張できる。
流体ポンプ１において流す流体は、液体に限られず、気体でもよい。
インペラ２１を回転駆動するモータ１５のロータ部２６は、ポンプ室６の外に設けることもできる。
【図面の簡単な説明】
【００３９】
【図１】本発明の第１の実施形態を示す流体ポンプの分解斜視図
【図２】図１とは反対側から見た流体ポンプの分解斜視図
【図３】流体ポンプの正面図
【図４】図３中Ｘ４−Ｘ４線に沿う断面図
【図５】第１のケースをポンプ室側から見た図
【図６】図５中Ｘ６−Ｘ６線に沿う断面図
【図７】ステータ部と第１の圧力発生用凸部との位置関係を示す図
【図８】冷却装置を示す図
【図９】本発明の第２の実施形態を示すもので、冷却装置を組み込んだパーソナルコンピュータの概略的な斜視図
【図１０】本発明の第３の実施形態を示すインペラの正面図
【図１１】インペラのポンプ羽根とロータマグネットの磁極境界部との位置関係を示す図
【図１２】本発明の第４の実施形態を示す図６相当図
【符号の説明】
【００４０】
図面中、１は流体ポンプ、２はケース、３は第１のケース、４は第２のケース、６はポンプ室、７は吸入口、８は吐出口、９は第１の圧力発生用凸部、１０は第２の圧力発生用凸部、１１，１２はなめらかな斜面、１５はモータ、１６はステータ部、２０はスロット開口部、２１はインペラ、２３はポンプ羽根、２６はロータ部、２７はロータヨーク、２８はロータマグネット、２８ａは磁極境界部、３０は冷却装置、３１は放熱部、４０は発熱部品、４５は冷却装置、４６はパーソナルコンピュータ（電気機器）、４９はＣＰＵ（発熱部品）、５０は放熱部、６１，６２は第１、第２のポンプ羽根（ポンプ羽根）、６５，６６はなめらかな曲面を示す。
【図１】
2005282500.tif 000003
【図２】
2005282500.tif 000004
【図３】
2005282500.tif 000005
【図４】
2005282500.tif 000006
【図５】
2005282500.tif 000007
【図６】
2005282500.tif 000008
【図７】
2005282500.tif 000009
【図８】
2005282500.tif 000010
【図９】
2005282500.tif 000011
【図１０】
2005282500.tif 000012
【図１１】
2005282500.tif 000013
【図１２】
2005282500.tif 000014